(57)【特許請求の範囲】
【請求項１】
下方に向けて延びる筒状の垂下部と、前記垂下部の下端から径方向内側に向けて突出する鍔部とを備えた槽体の排水口に取付けられる排水口装置であって、
前記排水口に設けられた栓蓋と、
前記栓蓋を支持し、前記槽体に対して上下動可能な蓋軸と、
配管に形成された雌ねじ部に螺合可能な雄ねじ部が外周面に形成されるとともに、径方向外側に突出し、前記鍔部に係止される係止部を有する筒状の排水口部材と、
環状の外筒部、及び、当該外筒部の内周側に設けられ、前記蓋軸が挿通される内筒部を有する支持軸部材とを備え、
前記外筒部の上部には、径方向外側に突出する張出部が設けられ、
前記張出部の外周面は、前記垂下部に対して液密にシールされるとともに、張出部のうち少なくとも外周面上端は前記垂下部に対してほぼ接触し、
前記係止部上に前記張出部が配置された状態で、前記支持軸部材が前記排水口部材に固定され、
前記栓蓋の閉時において、前記栓蓋の外周部位が前記張出部に接触することを特徴とする排水口装置。
【請求項２】
前記係止部の上面には、前記配管の前記雌ねじ部に前記排水口部材の前記雄ねじ部を螺合する際に、前記排水口部材を回転させるための工具が係合される凸状又凹状の工具係合部が設けられることを特徴とする請求項１に記載の排水口装置。
【請求項３】
前記支持軸部材は、前記外筒部及び前記内筒部を連結し、１又は周方向に沿って間欠的に設けられた複数の連結部を備えるとともに、
前記外筒部には、前記張出部よりも下方に設けられ、径方向外側に突出形成された爪部を有する取付脚部が設けられ、
前記張出部と前記爪部とにより前記排水口部材を挟み込むことで、前記支持軸部材は前記排水口部材に固定されており、
前記連結部の下方において前記連結部と周方向同位置に、前記取付脚部が設けられることを特徴とする請求項１又は２に記載の排水口装置。
【請求項４】
前記張出部の外周面には、弾性材料からなる環状のシール部材が設けられ、
前記シール部材が前記垂下部に対して圧接されることを特徴とする請求項１乃至３のいずれか１項に記載の排水口装置。
【請求項５】
前記内筒部に挿設され、前記蓋軸を内周に具備してなる作動部と、
前記蓋軸に連結され、前記蓋軸に駆動力を伝達するワイヤーとを有するとともに、
前記内筒部は、上下方向に延びる１又は複数のスリットを備え、
前記スリットのうち少なくとも１つは、上下方向に貫通する貫通スリットであり、
前記内筒部に前記作動部が上方から挿通固定可能に構成されることを特徴とする請求項１乃至４のいずれか１項に記載の排水口装置。
【請求項６】
前記内筒部に挿設され、前記蓋軸を内周に具備してなる作動部と、
前記蓋軸に連結され、前記蓋軸に駆動力を伝達するワイヤーとを有するとともに、
前記内筒部は、
上下方向に延びる１又は複数のスリットと、
径方向内側に突出形成され、前記作動部の下端部が係止される下側突出部と、
径方向内側に突出形成され、前記下側突出部との間で前記作動部を挟み込む上側突出部とを備えるとともに、
径方向内側に向けた前記下側突出部の突出量が、前記上側突出部の突出量よりも大きくされており、
前記スリットのうち少なくとも１つは、上下方向に貫通する貫通スリットであり、
前記内筒部のうち少なくとも上端側開口は、前記内筒部の弾性変形により径方向外側に向けて拡径可能に構成されることを特徴とする請求項１乃至４のいずれか１項に記載の排水口装置。
【発明の詳細な説明】
【技術分野】
【０００１】
本発明は、槽体の排水口に設けられる排水口装置に関する。
【背景技術】
【０００２】
従来、槽体（例えば、浴槽やユニットバスの洗い場など）の排水口装置としては、鍔状のフランジを有する排水口金具を槽体の排水口に設けるものが知られている（例えば、特許文献１等参照）。しかし、このような排水口装置においては、前記フランジが槽体の排水口縁に設置された状態となってしまうため、槽体とフランジとの間に汚れが付着してしまいやすく、また、その汚れの除去が難しい。さらに、フランジが槽体の表面に顕出してしまうため、外観品質の低下を招いてしまう。
【０００３】
そこで近年では、排水口金具を設けることなく、排水口装置を構成する手法が提案されている（例えば、特許文献２等参照）。具体的には、排水口に設けられた栓蓋の上下動をガイドする装置を槽体に対して固定するために、所定の支持軸部材が必要となるところ、従来排水口金具に固定されていた前記支持軸部材を、槽体に対して直接固定することで、排水口金具を設けないものとした手法である。尚、当該手法においては、栓蓋の閉時に、栓蓋の外周縁が槽体に接触することで、水密性の確保が図られている。
【先行技術文献】
【特許文献】
【０００４】
【特許文献１】特許第３６３３３３６号公報
【特許文献２】特開２０１０−１６７８号公報
【発明の概要】
【発明が解決しようとする課題】
【０００５】
しかしながら、上記特許文献２に記載の技術においては、排水口装置と配管とを安定した状態で接続することが難しく、排水に際して、水漏れ等の不具合が生じてしまうおそれがある。また、支持軸部材が、排水口の中心軸に対して自身の中心軸が傾いたり、ずれたりした状態で配置されてしまったときに、栓蓋と槽体との間のシール性が不十分となってしまい、水密性が低下してしまうおそれがある。さらに、栓蓋の閉時に、栓蓋の外周面が槽体に接触することで水密性を確保するため、浴槽等の大きな槽体では、そのシール面の精度を保つことが難しいという問題もある。
【０００６】
本発明は、上記事情を鑑みてなされたものであり、その目的は、排水口装置と配管とを安定した状態で接続することができるとともに、外観品質や清掃性を向上させることができ、さらには良好な水密性を実現することができる排水口装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．下方に向けて延びる筒状の垂下部と、前記垂下部の下端から径方向内側に向けて突出する鍔部とを備えた槽体の排水口に取付けられる排水口装置であって、
前記排水口に設けられた栓蓋と、
前記栓蓋を支持し、前記槽体に対して上下動可能な蓋軸と、
配管に形成された雌ねじ部に螺合可能な雄ねじ部が外周面に形成されるとともに、径方向外側に突出し、前記鍔部に係止される係止部を有する筒状の排水口部材と、
環状の外筒部、及び、当該外筒部の内周側に設けられ、前記蓋軸が挿通される内筒部を有する支持軸部材とを備え、
前記外筒部の上部には、径方向外側に突出する張出部が設けられ、
前記張出部の外周面は、前記垂下部に対して液密にシールされるとともに、張出部のうち少なくとも外周面上端は前記垂下部に対してほぼ接触し、
前記係止部上に前記張出部が配置された状態で、前記支持軸部材が前記排水口部材に固定され、
前記栓蓋の閉時において、前記栓蓋の外周部位が前記張出部に接触することを特徴とする排水口装置。
【０００９】
尚、「ほぼ接触」とあるのは、張出部の外周面上端が垂下部に対して隙間なく接触している場合だけでなく、張出部の外周面上端と垂下部との間に若干（例えば、０．５ｍｍ以下）の隙間が形成されている場合も含むという趣旨である。
【００１０】
上記手段１によれば、雄ねじ部を有する排水口部材が設けられており、当該排水口部材の雄ねじ部を配管の雌ねじ部に螺合することで、排水口装置と配管とを安定した状態で接続することができる。従って、排水に際する水漏れ等の不具合をより確実に防止することができる。また、排水口部材を配管へと接続するにあたっては、槽体の表面側から排水口部材を槽体に対して相対回転させることで、排水口部材を配管に接続することができる。従って、排水口部材と配管との接続を容易に行うことができる。
【００１１】
さらに、上記手段１によれば、排水口部材の係止部上に張出部が配置されるとともに、張出部の少なくとも外周面上端は垂下部に対してほぼ接触している。従って、槽体の表面側に排水口部材が顕出することがなく、外観品質の向上を図ることができる。また、張出部の少なくとも外周面上端は垂下部に対してほぼ接触しているため、張出部と槽体との間に汚れが付着しにくくなり、ひいては清掃性を向上させることができる。
【００１２】
加えて、上記手段１によれば、栓蓋の閉時に、蓋軸を介して栓蓋を支持する支持軸部材に対して栓蓋の外周部位が接触するように構成されている。ここで、栓蓋の中心軸と、蓋軸を介して栓蓋を支持する支持軸部材の中心軸との間に軸ずれ等はほとんど生じないため、仮に支持軸部材の中心軸と排水口の中心軸との間に多少の軸ずれ等が生じたとしても、栓蓋の閉時には、栓蓋と支持軸部材との間のシール性が十分に確保されることとなる。また、槽体自身に栓蓋のシール面がないので、槽体のシール面の精度を保つ必要もない。その結果、張出部の外周面が垂下部に対して液密にシールされることと相俟って、極めて良好な水密性を実現することができる。
【００１３】
手段２．前記係止部の上面には、前記配管の前記雌ねじ部に前記排水口部材の前記雄ねじ部を螺合する際に、前記排水口部材を回転させるための工具が係合される凸状又凹状の工具係合部が設けられることを特徴とする手段１に記載の排水口装置。
【００１４】
上記手段２によれば、係止部の上面に、排水口部材を相対回転させるための工具が係合される工具係合部が設けられている。従って、配管に対する排水口部材の螺合を一層容易に行うことができる。
【００１５】
加えて、工具係合部は、係止部上に配置された張出部により隠れることとなり、槽体の表面側から視認できない状態となる。これにより、工具係合部の存在による外観品質の低下を防止することができる。また、係止部の上面に工具係合部が設けられているため、排水口部材の内周に工具係合部を設ける場合のように、排水口部材を径方向において必要以上に肉厚にすることがなく、ひいては支持軸部材を径方向において必要以上に肉厚にすることもない。そのため、外観品質の低下を一層確実に防止することができる。
【００１６】
手段３．前記支持軸部材は、前記外筒部及び前記内筒部を連結し、１又は周方向に沿って間欠的に設けられた複数の連結部を備えるとともに、
前記外筒部には、前記張出部よりも下方に設けられ、径方向外側に突出形成された爪部を有する取付脚部が設けられ、
前記張出部と前記爪部とにより前記排水口部材を挟み込むことで、前記支持軸部材は前記排水口部材に固定されており、
前記連結部の下方において前記連結部と周方向同位置に、前記取付脚部が設けられることを特徴とする手段１又は２に記載の排水口装置。
【００１７】
上記手段３によれば、排水口部材に対して取付脚部を挿入し、取付脚部に設けられた爪部を排水口部材に引掛けるだけで（すなわちワンタッチで）、支持軸部材を排水口部材に固定することができる。そのため、排水口に対する排水口装置の取付作業性を飛躍的に向上させることができる。
【００１８】
また、上記手段３によれば、取付脚部は、連結部の下方において連結部と周方向同位置に設けられている。従って、連結部同士の間に形成される排水の流路を十分に広く確保することができ、取付脚部の存在による排水性の低下を効果的に防止することができる。さらに、取付脚部は連結部に隠れる形となるため、槽体の表面側から取付脚部が視認しにくくなる。その結果、外観品質の更なる向上を図ることができる。
【００１９】
尚、連結部や取付脚部の数は特に限定されるものではなく、例えば、連結部を１つ設け、取付脚部を複数設けることとしてもよい。この場合には、連結部の下方に複数の取付脚部のうちの１つが設けられていればよい。すなわち、いずれかの連結部の下方に、取付脚部が配置されていればよい。
【００２０】
手段４．前記張出部の外周面には、弾性材料からなる環状のシール部材が設けられ、
前記シール部材が前記垂下部に対して圧接されることを特徴とする手段１乃至３のいずれかに記載の排水口装置。
【００２１】
上記手段４によれば、張出部の外周面と垂下部との間において、シール部材が両者に対して圧接した状態で設けられている。これにより、張出部と垂下部との間の水密性を一層向上させることができる。
【００２２】
さらに、上記手段４によれば、シール部材と垂下部との間には、比較的大きな摩擦力が生じることとなる。そのため、栓蓋の着脱時などにおいて、排水口から支持軸部材が外れてしまうといった事態をより確実に防止することができる。
【００２３】
手段５．前記内筒部に挿設され、前記蓋軸を内周に具備してなる作動部と、
前記蓋軸に連結され、前記蓋軸に駆動力を伝達するワイヤーとを有するとともに、
前記内筒部は、上下方向に延びる１又は複数のスリットを備え、
前記スリットのうち少なくとも１つは、上下方向に貫通する貫通スリットであり、
前記内筒部に前記作動部が上方から挿通固定可能に構成されることを特徴とする手段１乃至４のいずれかに記載の排水口装置。
【００２４】
作動部を内筒部に挿設する際には、内筒部の下端側開口を広げた上で、下方側から作動部を内筒部に挿入するのが一般的である。しかしながら、上記手段１等のように、外筒部に径方向外側に突出する張出部を設ける場合には、外筒部が径方向に沿って撓み変形しにくくなり、ひいては下方側から作動部を内筒部に挿入することが難しくなり得る。
【００２５】
この点、上記手段５によれば、貫通スリットを通すことでワイヤーを内筒部の内周に配置した上で、上方側から作動部を内筒部に挿入することができる。従って、内筒部に対する作動部の挿設を容易に行うことができる。
【００２６】
手段６．前記内筒部に挿設され、前記蓋軸を内周に具備してなる作動部と、
前記蓋軸に連結され、前記蓋軸に駆動力を伝達するワイヤーとを有するとともに、
前記内筒部は、
上下方向に延びる１又は複数のスリットと、
径方向内側に突出形成され、前記作動部の下端部が係止される下側突出部と、
径方向内側に突出形成され、前記下側突出部との間で前記作動部を挟み込む上側突出部とを備えるとともに、
径方向内側に向けた前記下側突出部の突出量が、前記上側突出部の突出量よりも大きくされており、
前記スリットのうち少なくとも１つは、上下方向に貫通する貫通スリットであり、
前記内筒部のうち少なくとも上端側開口は、前記内筒部の弾性変形により径方向外側に向けて拡径可能に構成されることを特徴とする手段１乃至４のいずれかに記載の排水口装置。
【００２７】
内筒部からの作動部の抜け防止を図るためには、上記手段６のように、下側突出部の突出量を十分に大きく確保する必要があるが、下側突出部の突出量を大きくすれば、内筒部の下端側開口から作動部を挿入することが一層難しくなる。
【００２８】
この点、上記手段６によれば、貫通スリットを通すことでワイヤーを内筒部の内周に配置するとともに、スリットの幅を広げること等により内筒部の上端側開口を拡径した上で、上方側から作動部を内筒部に挿入することができる。従って、下側突出部の突出量を上側突出部の突出量よりも大きくすることによる作動部の抜け防止を図りながら、内筒部に対する作動部の挿設を極めて容易に行うことができる。
【図面の簡単な説明】
【００２９】
【図１】浴槽等を示す斜視図である。
【図２】排水口装置等の構成を示す部分拡大断面図である。
【図３】排水口に設けられた排水口部材等を示す部分拡大断面図である。
【図４】排水口装置の構成を示す分解斜視図である。
【図５】排水口部材等の構成を示す斜視図である。
【図６】支持軸部材の構成を示す斜視図である。
【発明を実施するための形態】
【００３０】
以下に、一実施形態について図面を参照しつつ説明する。本実施形態において、排水口装置１は、図２に示すように、排水口部材２や支持軸部材３等を備えており、槽体としての浴槽１００に取付けられている。まず、排水口装置１の説明に先立って、これが取付けられる浴槽１００の構造について説明する。
【００３１】
浴槽１００は、成形品であり、図１に示すように、底壁部１０１と、当該底壁部１０１から上方に向かって延びる筒状の側壁部１０２と、当該側壁部１０２の上端から外側に向かって延びるフランジ部１０３とを備えている。
【００３２】
また、図２及び図３に示すように、浴槽１００の底壁部１０１には、浴槽１００内の水を排出するための排水口１０４が形成されている。排水口１０４は、その上端部全周に、下方に向かって縮径し、断面において外形線が湾曲形状をなす縮径部１０４Ｔを備えている。また、排水口１０４のうち前記縮径部１０４Ｔよりも下方には、下方に向けて延び、略同一の内径を有する垂下部１０４Ｓと、垂下部１０４Ｓの下端から径方向内側に向けて突出する鍔部１０４Ｆとが形成されている。
【００３３】
次いで、排水口装置１の構成について説明する。排水口装置１は、図２に示すように、排水口部材２と、支持軸部材３と、作動部４と、栓蓋５と、操作装置６とを備えている。
【００３４】
排水口部材２は、図３〜図５（尚、図４及び図５において、栓蓋５は不図示）に示すように、所定の樹脂（例えば、ＰＯＭ等）により筒状に形成されている。また、排水口部材２の上端部には、径方向外側に突出する鍔状の係止部２１が設けられており、当該係止部２１は、前記鍔部１０４Ｆに対して係止されている。
【００３５】
さらに、排水口部材２の下方側外周面には、雄ねじ部２２が形成されており、当該雄ねじ部２２は、排水用の配管１０５に形成された雌ねじ部１０６に螺合されている。これにより、排水口１０４から配管１０５へと通じる排水路が形成されている。尚、係止部２１の上面には、前記雌ねじ部１０６に前記雄ねじ部２２を螺合する際に、所定の工具が係合される凹状の工具係合部２３が周方向に沿って等間隔に複数（本実施形態では、４つ）設けられている。また、配管１０５の上端面と鍔部１０４Ｆの下面との間には、水密性の向上を図るべく、ＥＰＤＭゴム等の弾性材料からなる環状のパッキン７が設けられている。尚、当該パッキン７は、雌ねじ部１０６に対する雄ねじ部２２の螺合に伴い、配管１０５の上端面と鍔部１０４Ｆの下面とにより挟まれて加圧された状態となっており、その結果、パッキン７と配管１０５及び鍔部１０４Ｆとの間のシール性が高められている。
【００３６】
支持軸部材３は、所定の樹脂（例えば、ＰＯＭ等）により形成されるとともに、環状の外筒部３１と、筒状の内筒部３７とを備えている。
【００３７】
外筒部３１は、環状をなす外筒部本体３２と、外筒部本体３２の上端から径方向外側に突出する鍔状の張出部３３とを備えている。
【００３８】
外筒部本体３２は、自身の外周面が排水口部材２の内周面に沿う形状とされており、自身の外周面と排水口部材２の内周面との間にほとんど隙間がない状態で、排水口部材２の内周に配置されている。
【００３９】
張出部３３は、排水口部材２の係止部２１上に配置されており、張出部３３のうち少なくとも外周面上端は排水口１０４の垂下部１０４Ｓに対してほぼ接触している。そのため、係止部２１や工具係合部２３は、張出部３３に隠れる形となり、浴槽１００の表面側から係止部２１等は視認できない状態となっている。尚、張出部３３の上面は、内周側に向けて下方へと傾斜する傾斜面３３Ｋとなっており、張出部３３のうち少なくとも内周側下面は、係止部２１に接触している。
【００４０】
さらに、張出部３３の外周下方には、環状の凹部３３Ｃが形成されており、当該凹部３３Ｃに対して環状のシール部材３４が嵌め込まれている。シール部材３４は、所定の弾性部材（例えば、ＥＰＤＭゴム等）により形成されており、張出部３３と垂下部１０４Ｓとで挟まれることにより、垂下部１０４Ｓに対して圧接されている。これにより、張出部３３の外周面は、垂下部１０４Ｓに対して液密にシールされた状態となっており、その結果、浴槽１００からの水漏れ防止が図られている。
【００４１】
また、前記外筒部本体３２の内周には、外筒部３１と内筒部３７とを連結する連結部３５が設けられている。当該連結部３５は、周方向に沿って等間隔に複数（本実施形態では、４つ）設けられており、各連結部３５間の隙間が排水の流路となっている。
【００４２】
さらに、各連結部３５には、下方側に向けて延びる取付脚部３６が設けられている（すなわち、連結部３５と取付脚部３６とは、周方向に沿った同位置に配置されている）。加えて、取付脚部３６の下端には、径方向外側に向けて突出形成された爪部３６Ｒが設けられており、当該爪部３６Ｒは、排水口部材２の内周に設けられた環状の段部２４に係止されている。これにより、張出部３３及び爪部３６Ｒによって排水口部材２が挟み込まれることとなり、その結果、支持軸部材３が排水口部材２に固定されている。
【００４３】
尚、段部２４に爪部３６Ｒを係止させるにあたって、取付脚部３６は排水口部材２に挿通されるが、爪部３６Ｒの外周面先端側（下端側）には、径方向外側に向けて上方側へと傾斜する下側傾斜面３６Ａが形成されており、取付脚部３６の排水口部材２に対する挿通が容易に行えるようになっている。また、爪部３６Ｒの外周面基端側（上端側）には、径方向外側に向けて下方側へと傾斜する上側傾斜面３６Ｂが形成されており、排水口部材２からの支持軸部材３の取外しが比較的容易に行えるようになっている。
【００４４】
内筒部３７は、外筒部３１の内周側に設けられており、その内部に前記作動部４が挿設されている。また、内筒部３７は、その中心軸が外筒部３１の中心軸と一致するように構成されており、ひいては作動部４及び作動部４に支持される栓蓋５のそれぞれの中心軸が外筒部３１の中心軸と一致するように構成されている。
【００４５】
さらに、内筒部３７は、図６等に示すように、上下方向に貫通する貫通スリット３７Ｓ１と、当該貫通スリット３７Ｓ１に対向するとともに、上下方向に延び、上方側が開放された補助スリット３７Ｓ２とを備えている。これら両スリット３７Ｓ１，３７Ｓ２の存在と、上述の通り支持軸部材３が所定の樹脂により形成されていることとが相俟って、内筒部３７の上端側開口は、自身が弾性変形することにより径方向外側に向けて拡径可能とされている。
【００４６】
加えて、内筒部３７の内周には、それぞれ径方向内側に突出する下側突出部３７Ｐ１と、上側突出部３７Ｐ２とが形成されている。
【００４７】
下側突出部３７Ｐ１は、作動部４の下端部が係止されるとともに、平面視Ｕ字状をなしている。また、下側突出部３７Ｐ１の間に位置する隙間は、貫通スリット３７Ｓ１に連通されており、当該隙間に後述するレリースワイヤ６２が配置されるようになっている。
【００４８】
上側突出部３７Ｐ２は、互いに対向する一対の突起からなり、下側突出部３７Ｐ１の上方側に形成されるとともに、下側突出部３７Ｐ１との間で前記作動部４を挟み込んでいる。両突出部３７Ｐ１，３７Ｐ２に挟まれることにより、作動部４は、内筒部３７に保持されている。
【００４９】
尚、栓蓋５を誤って踏んでしまった場合等において、作動部４が内筒部３７から脱落してしまうことを防止すべく、径方向内側に向けた下側突出部３７Ｐ１の突出量は、径方向内側に向けた上側突出部３７Ｐ２の突出量よりも十分に大きなものとされている。
【００５０】
作動部４は、棒状の蓋軸４１と、筒状部材４２とを備えている。蓋軸４１は、その先端部が栓蓋５の背面に形成された筒状部位に嵌着されている一方で、その基端部が前記操作装置６から延びるレリースワイヤ６２（本発明のワイヤーに相当する）の他端部に接続されている。また、筒状部材４２は、蓋軸４１の外周に設けられ、これを上下動可能に支持している。本実施形態においては、操作装置６の操作により、レリースワイヤ６２を介して上昇端における蓋軸４１のロックと、ロック解除に伴う蓋軸４１の下降とが交互に行われ、ひいては操作装置６を操作する度に栓蓋５の上昇・下降（排水口１０４の開閉）が交互に行われるようになっている。
【００５１】
栓蓋５は、排水口部材２や支持軸部材３の上方に位置しており、ＰＯＭ等の樹脂からなる蓋部５１と、弾性変形可能な素材（例えば、樹脂やＥＰＤＭゴム等のゴム）からなる環状の栓蓋シール５２とを備えている。
【００５２】
前記蓋部５１は、表面がなだらかに湾曲する傘状部５１Ａと、当該傘状部５１Ａの背面内側から下方に向けて延びる筒状の突状部５１Ｂとを備えており、また、突状部５１Ｂの外周面には、前記栓蓋シール５２が嵌合される環状の溝部５１Ｃが設けられている。
【００５３】
加えて、栓蓋シール５２は、外周側に向けて徐々に薄くなるように構成されており、栓蓋５の閉時には、その外周縁の全周が張出部３３の傾斜面３３Ｋに対して接触するようになっている。尚、作動部４に支持される栓蓋５、及び、作動部４を支持する支持軸部材３は、それぞれの中心軸が一致しているため、栓蓋５の閉時には、栓蓋シール５２（栓蓋５）の外周縁全周が張出部３３（支持軸部材３）の傾斜面３３Ｋに対して確実に接触する。また、本実施形態において、栓蓋シール５２の外径は、蓋部５１（傘状部５１Ａ）の外径よりも小さくされるとともに、前記栓蓋シール５２が取付けられる溝部５１Ｃは、傘状部５１Ａの直下方に設けられている。そのため、栓蓋シール５２は蓋部５１に隠れる形となり、外部から視認しにくいものとなっている。
【００５４】
図２に戻り、前記操作装置６は、浴槽１００のフランジ部１０３に取付けられた操作部６１と、当該操作部６１に一端部が接続されたレリースワイヤ６２とを備えている。
【００５５】
操作部６１は、押しボタン式であり、遠隔操作により前記栓蓋５を動作させることで、排水口１０４を開閉させるものである。また、レリースワイヤ６２は、操作部６１に接続されており、操作部６１の動作による駆動力を蓋軸４１に伝達する。
【００５６】
次いで、上述した排水口装置１の浴槽１００に対する配設手順について説明する。
【００５７】
まず、排水口１０４の鍔部１０４Ｆに排水口部材２の係止部２２を係止するとともに、配管１０５の上端面にパッキン７を載置した状態で、排水口部材２の下方に配管１０５を配置する。そして、所定の工具（図示せず）を係止部２２に設けられた工具係合部２３に係合するとともに、排水口部材２の雄ねじ部２２を配管１０５の内周（雌ねじ部１０６）上端に接触させた状態で、前記工具により浴槽１００の表面側から排水口部材２を浴槽１００に対して相対回転させる。これにより、雄ねじ部２２が雌ねじ部１０６に螺合され、排水口部材２が配管１０５に接続される。
【００５８】
次に、レリースワイヤ６２の他端部が固定された作動部４を排水口１０４から所定量だけ引っ張り出すとともに、作動部４を支持軸部材３の内筒部３７に対して挿設する。詳述すると、まず、貫通スリット３７Ｓ１を通すことでレリースワイヤ６２を内筒部３７の内周に配置する。そして、貫通スリット３７Ｓ１や補助スリット３７Ｓ２の幅を広げ、内筒部３７の上端側開口を拡径した（すなわち、上側突出部３６Ｐ２の間隔を広げた）上で、内筒部３７の上端側開口から作動部４を内筒部３７に挿入する。これにより、内筒部３７に作動部４が挿設される。
【００５９】
次いで、作動部４が取付けられた支持軸部材３を、排水口部材２に対して固定する。すなわち、支持軸部材３の外周面にシール部材３４を配置した上で、支持軸部材３の取付脚部３６を排水口部材２に対して挿入し、取付脚部３６の爪部３６Ｒを排水口部材２の段部２４に係止する。これにより、排水口部材２に対して支持軸部材３が固定されるとともに、作動部４が排水口１０４の中心に配置される。そして最後に、蓋軸４１の先端部に栓蓋５を取付けることで、浴槽１００に対する排水口装置１の配設が完了する。
【００６０】
以上詳述したように、本実施形態によれば、雄ねじ部２２を有する排水口部材２が設けられており、当該排水口部材２の雄ねじ部２２を配管１０５の雌ねじ部１０６に螺合することで、排水口装置１と配管１０５とを安定した状態で接続することができる。従って、排水に際する水漏れ等の不具合をより確実に防止することができる。また、排水口部材２を配管１０５へと接続するにあたっては、浴槽１００の表面側から排水口部材２を浴槽１００に対して相対回転させることで、排水口部材２を配管１０５に接続することができる。従って、排水口部材２と配管１０５との接続を容易に行うことができる。
【００６１】
さらに、本実施形態においては、排水口部材２の係止部２２上に張出部３３が配置されるとともに、張出部３３の少なくとも外周面上端は垂下部１０４Ｓに対してほぼ接触している。従って、浴槽１００の表面側に排水口部材２が顕出することがなく、外観品質の向上を図ることができる。また、張出部３３の少なくとも外周面上端は垂下部１０４Ｓに対してほぼ接触しているため、張出部３３と浴槽１００との間に汚れが付着しにくくなり、ひいては清掃性を向上させることができる。
【００６２】
加えて、栓蓋５の閉時には、支持軸部材３に対して栓蓋５（栓蓋シール５２）の外周部位が接触するように構成されている。ここで、栓蓋５の中心軸と支持軸部材３の中心軸との間に軸ずれ等はほとんど生じないため、仮に支持軸部材３の中心軸と排水口１０４の中心軸との間に多少の軸ずれ等が生じたとしても、栓蓋５の閉時には、栓蓋５と支持軸部材３との間のシール性が十分に確保されることとなる。また、浴槽１００自身に栓蓋のシール面がないので、浴槽１００においてシール面の精度を保つ必要もない。その結果、張出部３３の外周面が垂下部１０４Ｓに対して液密にシールされていることと相俟って、極めて良好な水密性を実現することができる。
【００６３】
また、係止部２２の上面に、排水口部材２を相対回転させるための工具が係合される工具係合部２３が設けられている。従って、配管１０５に対する排水口部材２の螺合を一層容易に行うことができる。
【００６４】
加えて、工具係合部２３は、係止部上２２に配置された張出部３３により隠れることとなり、浴槽１００の表面側から視認できない状態となる。これにより、工具係合部２３の存在による外観品質の低下を防止することができる。また、係止部２２の上面に工具係合部２３が設けられているため、排水口部材２を径方向において必要以上に肉厚にすることがなく、ひいては支持軸部材３を径方向において必要以上に肉厚にすることもない。そのため、外観品質の低下を一層確実に防止することができる。
【００６５】
さらに、排水口部材２に対して取付脚部３６を挿入し、取付脚部３６に設けられた爪部３６Ｒを排水口部材２に引掛けるだけで（すなわちワンタッチで）、支持軸部材３を排水口部材２に固定することができる。そのため、排水口１０４に対する排水口装置１の取付作業性を飛躍的に向上させることができる。
【００６６】
また、取付脚部３６は、連結部３５の下方において連結部３５と周方向同位置に設けられている。従って、連結部３５同士の間に形成される排水の流路を十分に広く確保することができ、取付脚部３６の存在による排水性の低下を効果的に防止することができる。さらに、取付脚部３６は連結部３５に隠れる形となるため、浴槽１００の表面側から取付脚部３６が視認しにくくなる。その結果、外観品質の更なる向上を図ることができる。
【００６７】
加えて、張出部３３の外周面と垂下部１０４Ｓとの間において、シール部材３４が両者に対して圧接した状態で設けられている。これにより、張出部３３と垂下部１０４Ｓとの間の水密性を一層向上させることができる。さらに、シール部材３４と垂下部１０４Ｓとの間には、比較的大きな摩擦力が生じることとなるため、栓蓋５の着脱時などにおいて、排水口１０４から支持軸部材３が外れてしまうといった事態をより確実に防止することができる。
【００６８】
併せて、本実施形態によれば、貫通スリット３７Ｓ１を通すことでレリースワイヤ６２を内筒部３７の内周に配置するとともに、貫通スリット３７Ｓ１等の幅を広げること等により内筒部３７の上端側開口を拡径した上で、上方側から作動部４を内筒部３７に挿入することができる。従って、下側突出部３７Ｐ１の突出量を上側突出部３７Ｐ２の突出量よりも大きくすることによる作動部４の抜け防止を図りながら、内筒部３７に対する作動部４の挿設を極めて容易に行うことができる。
【００６９】
尚、上記実施形態の記載内容に限定されず、例えば次のように実施してもよい。勿論、以下において例示しない他の応用例、変更例も当然可能である。
【００７０】
（ａ）上記実施形態では、工具係合部２３が凹状をなしているが、工具係合部２３は排水口部材２を回転させるための工具が係合可能な形状であればよい。従って、工具係合部２３が凸状をなしていてもよい。
【００７１】
（ｂ）上記実施形態において、内筒部３７には２つのスリット（貫通スリット３６Ｓ１及び補助スリット３６Ｓ２）が設けられているが、スリットの数は特に限定されるものではない。従って、例えば、内筒部３７に１つの貫通スリットのみを設けることとしてもよい。
【００７２】
（ｃ）上記実施形態では、蓋軸４１を上下動可能に保持する筒状部材４２が設けられているが、筒状部材４２を設けることなく、内筒部３７により蓋軸４１を上下動可能に保持することとしてもよい。すなわち、作動部４の機能を支持軸部材３に一体的に設けることとしてもよい。
【００７３】
（ｄ）上記実施形態では、張出部３３と爪部３６Ｒとで排水口部材２を挟み込むことにより、支持軸部材３が排水口部材２に固定されているが、排水口部材２に対する支持軸部材３の固定手法はこれに限定されるものではない。従って、例えば、排水口部材２の内周面に雌ねじを設けるとともに、支持軸部材３の外周面に雄ねじを設け、支持軸部材３の雄ねじを排水口部材２の雌ねじに螺合することで、支持軸部材３を排水口部材２に固定してもよい。また、接着剤により、支持軸部材３を排水口部材２に固定してもよい。
【００７４】
（ｅ）上記実施形態では、連結部３５が複数設けられているが、連結部３５を１つのみ設けることとしてもよい。
【００７５】
（ｆ）上記実施形態において、排水口部材２や支持軸部材３は樹脂材料により形成されているが、排水口部材２や支持軸部材３を耐腐食性に優れる金属材料（例えば、ステンレス等）により形成することとしてもよい。
【００７６】
（ｇ）上記実施形態では、槽体として浴槽１００を例示しているが、本発明の技術思想を適用可能な槽体は浴槽に限定されるものではない。従って、例えば、洗面化粧台の排水口、流し台の排水口などに本発明の技術思想を適用することとしてもよい。
【符号の説明】
【００７７】
１…排水口装置、２…排水口部材、３…支持軸部材、４…作動部、５…栓蓋、２１…係止部、２２…雄ねじ部、２３…工具係合部、３１…外筒部、３３…張出部、３４…シール部材、３５…連結部、３６…取付脚部、３６Ｒ…爪部、３７…内筒部、３７Ｓ１…貫通スリット、３７Ｓ２…補助スリット、３７Ｐ１…下側突出部、３７Ｐ２…上側突出部、４１…蓋軸、６２…レリースワイヤ（ワイヤー）、１００…浴槽（槽体）、１０４…排水口、１０４Ｆ…鍔部、１０４Ｓ…垂下部、１０５…配管、１０６…雌ねじ部。
【図１】
0005801081.tif 000002
【図２】
0005801081.tif 000003
【図３】
0005801081.tif 000004
【図４】
0005801081.tif 000005
【図５】
0005801081.tif 000006
【図６】
0005801081.tif 000007